(57)【特許請求の範囲】
【請求項１】
前面に開閉扉で覆われる開口を有する断熱箱体の内部を貯蔵室とし、この貯蔵室にワイン等のボトルを寝かせて載置するボトル収納棚を備えた冷蔵庫において、ボトル収納棚は水平状態と前下がり状態の少なくとも２状態に調整可能となるように角度位置調整部材を介して断熱箱体の両側壁に取り付けられ、且つ前記ボトル収納棚は、その両側部の奥行き方向中間部に形成された被支持部が前記断熱箱体の両側壁に設けられた軸受け部に嵌合して回動可能に支持されていることを特徴とする冷蔵庫。
【請求項２】
前面に開閉扉で覆われる開口を有する断熱箱体の内部を貯蔵室とし、この貯蔵室にワイン等のボトルを寝かせて載置するボトル収納棚を備えた冷蔵庫において、
ボトル収納棚は、その両側部の奥行き方向中間部に形成された被支持部が前記断熱箱体の両側壁に設けられた軸受け部に嵌合して回動可能に支持され、且つ、水平状態と前下がり状態の少なくとも２状態に調整可能となるように、その前端部が断熱箱体の両側壁に角度位置調整部材を介して取り付けられ、
前記角度位置調整部材は、前記断熱箱体の両側壁の前記開口寄りに設けられて少なくとも上下２つの係止部を有する一対の案内体と、前記ボトル収納棚の前端部に設けられ常時は付勢体により前記各案内体のいずれかの係止部に係合する係合部と角度位置調整時に前記付勢体に抗して前記係合部を前記係止部から離脱するための操作部とを備えた一対の係合体とからなることを特徴とする冷蔵庫。
【発明の詳細な説明】
【技術分野】
【０００１】
本発明は、前面に開閉扉で覆われる開口を有する冷蔵庫本体の内部を貯蔵室とし、この貯蔵室にワイン等のボトルを寝かせて載置するボトル収納棚を備えた冷蔵庫に関する。
【背景技術】
【０００２】
近年、ワインブームの高まりに伴い、ワインセラーと呼ばれるワイン専用の冷蔵庫やワイン等のボトルを収納可能なボトル収納棚を備えた冷蔵庫が注目されており、これらの冷蔵庫では貯蔵室のボトル収納棚にワイン等のボトルを寝かせて載置できるようにしている（例えば、特許文献１参照）。
【先行技術文献】
【特許文献】
【０００３】
【特許文献１】特開２００１−２０１２５１号公報
【発明の概要】
【発明が解決しようとする課題】
【０００４】
ワイン等のボトルを寝かせて収納するボトル収納棚はボトルを水平状態に載置するものと、ワインの種類や銘柄等を見やすくするためにボトルを前下がり状態に載置するものの２種類がある。このため、水平状態と前下がり状態の２状態に対応するには、２種類の収納棚を入れ替えて使用するか、一方の状態にある１種類の収納棚を一旦庫内から取出した後に再度庫内に他の状態となるように戻して使用しなければならず、この作業が煩わしいという問題があった。
【０００５】
そこで本発明は、ボトル収納棚の入れ替え作業を必要としないで、ワイン等のボトルの収納状態を水平と前下がりのいずれにも調整可能な冷蔵庫を提供することを目的とする。
【課題を解決するための手段】
【０００６】
このため第１の発明は、前面に開閉扉で覆われる開口を有する断熱箱体の内部を貯蔵室とし、この貯蔵室にワイン等のボトルを寝かせて載置するボトル収納棚を備えた冷蔵庫において、ボトル収納棚は水平状態と前下がり状態の少なくとも２状態に調整可能となるように角度位置調整部材を介して断熱箱体の両側壁に取り付けられ、且つ前記ボトル収納棚は、その両側部の奥行き方向中間部に形成された被支持部が前記断熱箱体の両側壁に設けられた軸受け部に嵌合して回動可能に支持されていることを特徴とする。
【０００７】
また第２の発明は、前面に開閉扉で覆われる開口を有する断熱箱体の内部を貯蔵室とし、この貯蔵室にワイン等のボトルを寝かせて載置するボトル収納棚を備えた冷蔵庫において、
ボトル収納棚は、その両側部の奥行き方向中間部に形成された被支持部が前記断熱箱体の両側壁に設けられた軸受け部に嵌合して回動可能に支持され、且つ、水平状態と前下がり状態の少なくとも２状態に調整可能となるように、その前端部が断熱箱体の両側壁に角度位置調整部材を介して取り付けられ、
前記角度位置調整部材は、前記断熱箱体の両側壁の前記開口寄りに設けられて少なくとも上下２つの係止部を有する一対の案内体と、前記ボトル収納棚の前端部に設けられ常時は付勢体により前記各案内体のいずれかの係止部に係合する係合部と角度位置調整時に前記付勢体に抗して前記係合部を前記係止部から離脱するための操作部とを備えた一対の係合体とからなることを特徴とする。
【発明の効果】
【００１０】
本発明は、ボトル収納棚が水平状態と前下がり状態の少なくとも２状態に調整可能となるように角度位置調整手段を介して断熱箱体の両側壁に取り付けられているので、ボトル収納棚の入れ替え作業を必要としないでワイン等のボトルの収納状態を少なくとも水平状態と前下がりの状態のいずれにも調整可能であり、顧客の使い勝手を大幅に向上できる。
【００１１】
しかも、ボトル収納棚がその奥行き方向中間部を支点として水平状態と前下がり状態の少なくとも２状態に回動されて調整されるので、ボトル収納棚の下の棚での収納に極力影響を与えないようにしながらボトル収納棚での収納状態を簡単な操作で切り換えることができ、操作性に優れている。
【図面の簡単な説明】
【００１２】
【図１】冷蔵庫の開閉扉を開けた状態の斜視図である。
【図２】ボトル収納棚が水平状態にあるときの冷蔵庫の要部斜視図で、貯蔵室の奥方から開口に向けて、且つ、下方からボトル収納棚を見た要部斜視図である。
【図３】ボトル収納棚が水平状態にあるときの冷蔵庫の要部断面図である。
【図４】ボトル収納棚が水平状態にあるときの冷蔵庫の要部拡大断面図である。
【図５】ボトル収納棚を水平状態から前下がり状態に切り換える際の冷蔵庫の要部斜視図で、貯蔵室の奥方から開口に向けて、且つ、下方からボトル収納棚を見た要部斜視図である。
【図６】ボトル収納棚を水平状態から前下がり状態に切り換える際の冷蔵庫の要部拡大断面図である。
【図７】ボトル収納棚が前下がり状態にあるときの冷蔵庫の要部斜視図で、貯蔵室の奥方から開口に向けて、且つ、下方からボトル収納棚を見た要部斜視図である。
【図８】ボトル収納棚が前下がり状態にあるときの冷蔵庫の要部断面図である。
【発明を実施するための形態】
【００１３】
以下、図面に基づいて、本発明の実施形態につき説明する。図１において、冷蔵庫１は、前面にヒンジにより回動可能な開閉扉２で覆われる開口３を有する断熱箱体４の内部を貯蔵室５としている。そして、この貯蔵室５には上部に冷凍室６、下部に野菜室７が設けられるとともに、中間部にはワイン等の複数のボトルを寝かせて収納するボトル収納棚８と複数の食品収納棚９とが上下に設けられている。前記断熱箱体４には、冷凍サイクルを構成する圧縮機を含む冷凍装置（図示せず）が組み込まれ、貯蔵室５の内部を冷却するようにしている。
【００１４】
即ち、冷媒を圧縮機で圧縮して冷却器で作成された冷気を送風機により前記断熱箱体４の後壁内に形成された冷気循環ダクト内を上昇させてから、貯蔵室５内に供給して冷却し、下降した冷気を前記冷気循環ダクト内に導くというように、冷気を循環させる構成である。
【００１５】
前記食品収納棚９は断熱箱体４の両側壁４Ａ、４Ｂに形成された載置部１０に載置され、開口３から取り出して高さ位置を調整できるようにしている。ボトル収納棚８は図２及び図３に示すように、上面に複数の半円筒形状の凹部であるボトル収納部８Ａを有し、その両側部が断熱箱体４の両側壁４Ａ、４Ｂにそれぞれ対向するように設けられた支持枠１１及び角度位置調整部材１２により水平状態と前下がり状態の２状態に調整できるようにして断熱箱体４の両側壁４Ａ、４Ｂに支持されている。この支持枠１１及び角度位置調整部材１２は、側壁４Ａ、４Ｂにそれぞれ取り付けたものでもよい。
【００１６】
図２は貯蔵室５の奥方から開口３に向けて、且つ、ボトル収納棚８の下方からボトル収納棚８を見たものであり、即ちボトル収納棚８の右下部（前から見て）を貯蔵室５内から斜め上方に向けて見た図であり、図２及び図３ではボトル収納棚８が水平状態に前記支持枠１１及び角度位置調整部材１２に支持されている。
【００１７】
図２及び図３において、支持枠１１は断熱箱体４は両側壁４Ａ、４Ｂに前後方向に水平に延びて取り付けられており、ボトル収納棚８の両側部を断熱箱体４の背壁４Ｃ近傍から両側壁４Ａ、４Ｂの前寄り中間部までの範囲で水平に支持している。
【００１８】
即ち、この各支持枠１１の前部上面には縦断面が半円状の軸受け部となる溝１３が形成され、この各溝１３内にボトル収納棚８の両側部の奥行き方向の中間部において下部に設けられた（下方に突設された）縦断面が半円状の嵌合突部１４（被支持部）がそれぞれ上方から遊嵌して、この嵌合突部１４を支点としてボトル収納棚８は回動可能に支持されている。
【００１９】
また、前記角度位置調整部材１２は、開口３近くの断熱箱体４の両側部４Ａ、４Ｂに設けられた案内体１５と、ボトル収納棚８の前端の左右両側底部に設けられた係合体１６とからなる。前記案内体１５には、上下２つの係止穴（係止部）１７、１８とこの係止穴１７、１８を連絡する円弧状の案内溝１９とが形成され、係止穴１８の下にはボトル収納棚８の前端部が当接可能なストッパー２０が設けられている。前記係合体１６は、係止穴１７又は係止穴１８に抜き差し可能に係合する係合部２１Ａと下方に突出した操作部２１ＢとからなるＬ字形状の係合部材２１と、この係合部材２１の係合部２１Ａが係止穴１７又は１８に係合するように押圧付勢する平面視Ｚ形状の板バネから構成される付勢体２２とからなる。
【００２０】
そして、各係合部材２１の係合部２１Ａは、前記ボトル収納棚８の左右の側壁８Ｃ、この側壁８Ｃと所定間隔離れて形成された支持壁８Ｄ、前記側壁８Ｃと支持壁８Ｄとの間に配設された補強体８Ｅのそれぞれに開設された挿通孔を介して、係止穴１７又は係止穴１８に抜き差し可能に係合するものである。
【００２１】
また、前記付勢体２２は、前記各係合部材２１の内側端部と前記ボトル収納棚８の裏面に形成された各支持部材８Ｆとの間に配設され、前述したように、各係合部２１Ａが各係止穴１７又は１８に係合するように、各係合部材２１を押圧付勢している。
【００２２】
２３は断熱箱体４の両側壁４Ａ、４Ｂの背壁４Ｃ寄りに、且つ、ボトル収納棚８の上方位置に設けられたストッパーであり、前記ボトル収納棚８が前下がり状態に支持される際に、このボトル収納棚８の後部上端部８Ｂが前記ストッパー２３の下面に開設した係合穴２３Ａに嵌合して係止される（図８参照）。
【００２３】
図２乃至図４では、ボトル収納棚８は左右一対の支持枠１１に下方から支持されていると共に、角度位置調整部材１２の係合部材２１の係合部２１Ａが付勢体２２にて押圧されて案内部材１５の上の係止穴１７に係合することにより、ボトル収納棚８は水平状態で断熱箱体４の両側壁４Ａ、４Ｂに取り付け支持されている。
【００２４】
この場合、ボトル収納棚８にはワイン等の複数本のボトル（図示せず）をボトル収納部８Ａに水平に寝かして収容することができる。このように、水平状態で収納するのは、例えばワイン以外の飲料に適している。
【００２５】
次に、ボトル収納棚８を前下がり状態に取り付けるには、図５に示すように、使用者は左右の両角度位置調整部材１２の係合部材２１の操作部２１Ｂを付勢体２２の付勢力に抗して互いに内側（矢印方向）に引くようにする。このとき、図６に示すように、付勢体２２が圧縮されて、係合部２１Ａが付勢体２２の付勢力に抗して案内部材１５の係止穴１７から抜ける。
【００２６】
そして、さらに両係合部材２１の操作部２１Ｂを下方へ（図６の矢印方向）引くと、係合部２１Ａの外端は案内溝１９に沿って案内されて又は案内溝１９に沿うことなく案内されずに下方に移動する。このとき、ボトル収納棚８は両支持枠１１の溝１３にボトル収納棚８の両嵌合突部１４が遊嵌しているので、この両嵌合突部１４を支点としてボトル収納棚８は前下がり状態になるように回動する。
【００２７】
そして、ボトル収納棚８の前端部、即ち左右の側壁８Ｃ及び支持壁８Ｄの前端部の下面がストッパー２０に当たったときに、両操作部２１Ｂから手を離すと、図７及び図８に示すように、両係合部２１Ａが各付勢体２２に押圧されて各案内部材１５の下の係止穴１８に係合する。また、このボトル収納棚８の後部上端部８Ｂが前記ストッパー２３の下面に開設した係合穴２３Ａに嵌合して係止され、ボトル収納棚８は約１５度程度の前下がり状態で、断熱箱体４の両側壁４Ａ、４Ｂに取り付け支持されることになる。また、両支持枠１１の前部上面に形成された前下がりの傾斜面１１Ａに、ボトル収納棚８の下面が当接して、ボトル収納棚８前部を下方から支持する。
【００２８】
この場合、ボトル収納棚８にはワイン等の複数本のボトル（図示せず）をボトル収納部８Ａに保管に適した約１５度の前下がり状態で、例えばワインであればコルク側を上にして寝かしてコルクを湿らすように収容することができ、またワイン等の種類（赤、白、ロゼ）や銘柄等を開口３側から視認しやすい状態で保管することができる。
【００２９】
また、水平状態から前下がり状態に角度位置を調整するのに、ボトル収納棚８の奥行き方向の中間部を支点として回動させているので、ボトル収納棚８を前下がり状態にしても下の食品収納棚９での食品収納に影響を与えないようにして貯蔵室５を有効に利用することができる。
【００３０】
ボトル収納棚８をこの前下がり状態から水平状態に戻す場合も、両角度位置調整部材１２の係合部材２１の操作部２１Ｂを互いに内側に引くことにより、両係合部２１Ａを各案内部材１５の下の係止穴１８から抜いて、水平状態にボトル収納棚８を回動させて、上の係止穴１７に挿入することにより、ボトル収納棚８を水平状態に支持する。また、案内部材１５の係止穴を２つに限らず、その数を増やすことによりボトル収納棚８の前下がり状態を多段階に調整するようにしてもよく、更には無段階に調整するようにしてもよい。
【００３１】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００３２】
１          冷蔵庫
２          開閉扉
３          開口
４          断熱箱体
４Ａ、４Ｂ  断熱箱体の側壁
５          貯蔵室
８          ボトル収納棚
１１        支持枠
１２        角度位置調整部材
１３        溝（軸受け部）
１４        嵌合突部（被支持部）
１５        案内部材
１６        係合体
１７、１８  係止穴（係止部）
２１        係合部材
２１Ａ      係合部
２１Ｂ      操作部
２２        付勢体
【図１】
0005491887.tif 000002
【図２】
0005491887.tif 000003
【図３】
0005491887.tif 000004
【図４】
0005491887.tif 000005
【図５】
0005491887.tif 000006
【図６】
0005491887.tif 000007
【図７】
0005491887.tif 000008
【図８】
0005491887.tif 000009